【手続補正書】
【提出日】平成16年7月22日(2004.7.22)
【手続補正１】
【補正対象書類名】明細書
【補正対象項目名】特許請求の範囲
【補正方法】変更
【補正の内容】
【特許請求の範囲】
【請求項１】
公衆通信網を通じて参加可能な電子商取引市場における需要と供給の仲介をする方法であって、
サーバが、需要者の端末から需要データを受信して需要データ記憶手段に登録し、
前記サーバが、供給者の端末から供給データを受信して供給データ記憶手段に登録し、
前記サーバが、前記需要者又は前記供給者による自己の前記端末を通じた仲介者の選択を受け付け、
前記サーバが、該当の前記需要データ及び前記供給データを前記仲介者端末に参照可能とし、
前記サーバが、合致する前記需要データ及び前記供給データの組み合わせを前記仲介者端末から受け付けてマッチングデータとしてマッチングデータ記憶手段に登録可能とする、
ことを特徴とする電子商取引方法。
【請求項２】
前記サーバが、前記仲介者端末へ選択された旨を通知した後、当該需要者の前記需要データに対して合致する前記供給データの検索を行うことを承認する旨の通知を前記仲介者端末から受け付けることを特徴とする請求項１に記載の電子商取引方法。
【請求項３】
公衆通信網を通じて参加可能な電子商取引市場における需要と供給の仲介をするサーバを、
需要者の端末から需要データを受信して需要データ記憶手段に登録する手段、
供給者の端末から供給データを受信して供給データ記憶手段に登録する手段、
前記需要者又は前記供給者による自己の前記端末を通じた仲介者の選択を受け付ける手段、
該当の前記需要データ及び前記供給データを前記仲介者端末に参照可能とする手段、及び
合致する前記需要データ及び前記供給データの組み合わせを前記仲介者の端末から受け付けてマッチングデータとしてマッチングデータ記憶手段に登録可能とする手段、
として機能させるための電子商取引プログラム。
【請求項４】
前記仲介者へ選択された旨を通知した後、さらに、当該需要者の前記需要データに対して合致する前記供給データの検索を行うことを承認する旨の通知を当該仲介者の端末から受け付ける手段、
としても機能させるための請求項３に記載の電子商取引プログラム。
【請求項５】
公衆通信網を通じて参加可能な電子商取引市場における需要と供給の仲介をするためのシステムであって、
需要データを記憶する需要データ記憶手段と、
供給データを記憶する供給データ記憶手段と、
合致する前記需要データ及び前記供給データの組み合わせをマッチングデータとして記憶するマッチングデータ記憶手段と、
需要者の端末から需要データを受信して前記需要データ記憶手段に登録する手段と、
供給者の端末から供給データを受信して前記供給データ記憶手段に登録する手段と、
前記需要者又は前記供給者による自己の前記端末を通じた仲介者の選択を受け付ける手段と、
該当の前記需要データ及び前記供給データを前記仲介者端末に参照可能とする手段と、
前記仲介者の端末から前記マッチングデータを受け付けて前記マッチングデータ記憶手段に登録可能とする手段と、
を備えることを特徴とする電子商取引システム。
【請求項６】
前記仲介者の端末へ選択された旨を通知した後、当該需要者の前記需要データに対して合致する前記供給データの検索を行うことを承認する旨の通知を前記仲介者端末から受け付ける手段を更に備えることを特徴とする請求項５に記載の電子商取引システム。
【請求項７】
公衆通信網を通じて参加可能な電子商取引市場における需要と供給の仲介をする方法であって、
仲介者の端末が、サーバにアクセスして需要データ記憶手段の需要データ及び供給データ記憶手段の供給データを参照可能とし、
前記仲介者端末が、合致する前記需要データ及び前記供給データの組み合わせを前記サーバに通知して登録可能とする、
ことを特徴とする端末による電子商取引方法。
【請求項８】
公衆通信網を通じて参加可能な電子商取引市場における需要と供給の仲介を依頼する方法であって、
需要者の端末が、サーバにアクセスして需要データを送信し、
前記需要者端末が、前記サーバにアクセスし、前記需要者に仲介者の選択を可能とし、
前記需要者端末が、前記仲介者により検索されて得られた、自己の前記需要データに対して合致する供給データの組み合わせをマッチングデータとして前記サーバ又は前記仲介者の端末のいずれかから通知される、
ことを特徴とする端末による電子商取引方法。
【請求項９】
公衆通信網を通じて参加可能な電子商取引市場における需要と供給の仲介をする方法であって、
サーバが、需要者の端末から需要データを受信して需要データ記憶手段に登録し、
前記サーバが、供給者の端末から供給データを受信して供給データ記憶手段に登録し、
前記サーバが、該当の前記需要データ及び前記供給データを前記需要者及び／又は前記供給者の端末に参照可能とし、
前記サーバが、合致する前記需要データ及び前記供給データの組み合わせを前記需要者又は前記供給者の前記端末から受け付けてマッチングデータとしてマッチングデータ記憶手段に登録可能とし、
前記サーバが、前記需要者又は前記供給者による自己の端末を通じた仲介者の選択を受け付け、
前記サーバが、前記マッチングデータに基づく該当の前記需要者及び前記供給者の間の取引に係る契約の履行の代行を行うことを承認する旨の通知を当該仲介者の端末から受け付ける、
ことを特徴とする電子商取引方法。
【請求項１０】
公衆通信網を通じて参加可能な電子商取引市場における需要と供給の仲介をするサーバを、
需要者の端末から需要データを受信して当該データを需要データ記憶手段に登録する手段、
供給者の端末から供給データを受信して当該データを供給データ記憶手段に登録する手段、
該当の前記需要データ及び前記供給データを前記需要者及び／又は前記供給者の端末に参照可能とする手段、
合致する前記需要データ及び前記供給データの組み合わせを前記需要者又は前記供給者のいずれかの前記端末から受け付けてマッチングデータとしてマッチングデータ記憶手段に登録可能とする手段、
前記需要者又は前記供給者による自己の前記端末を通じた仲介者の選択を受け付ける手段、及び
前記マッチングデータに基づく該当の前記需要者及び前記供給者の間の取引に係る契約の履行の代行を行うことを承認する旨の通知を当該仲介者から受け付ける手段、
として機能させるための電子商取引プログラム。
【請求項１１】
公衆通信網を通じて参加可能な電子商取引市場における需要と供給の仲介をするシステムであって、
需要データを記憶する需要データ記憶手段と、
供給データを記憶する供給データ記憶手段と、
合致する前記需要データ及び前記供給データの組み合わせをマッチングデータとして記憶するマッチングデータ記憶手段と、
需要者の端末から前記需要データを受信して前記需要データ記憶手段に登録する手段と、
供給者の端末から前記供給データを受信して前記供給データ記憶手段に登録する手段と、
該当の前記需要データ及び前記供給データを前記需要者及び／又は前記供給者の前記端末に参照可能とする手段と、
前記マッチングデータを前記需要者又は前記供給者のいずれかの前記端末から受け付けて前記マッチングデータ記憶手段に登録可能とする手段と、
前記需要者又は前記供給者による自己の前記端末を通じた仲介者の選択を受け付ける手段と、
前記マッチングデータに基づく該当の前記需要者及び前記供給者の間の取引に係る契約の履行の代行を行うことを承認する旨の通知を前記仲介者端末から受け付ける手段と、
を備えることを特徴とする電子商取引システム。